(57)【要約】本発明は、単に布を伸長又は押圧することによって、スイッチ装置又は電子装置及び電源との結合として機能できる伸張可能な布を提供する。伸張可能な布は、着用可能な衣服、家具又は回路を閉成するために組み込むことができる適切な場所にて利用可能である。ユーザによる解放可能な伸長又は押圧動作を通して、布に組み込まれた導電性ストリップが、電源装置又は電子装置などの関連する補助装置を作動させるよう接触する。
2006527460.tif 000002
【特許請求の範囲】
【請求項１】
少なくとも１つの第一の導電性ストリップをその中に有し、且つ、実質的に弧状の形を有する第一の布層と、
少なくとも１つの第二の導電性ストリップをその中に有し、且つ、前記第一の布層上に固定可能に付着される第二の布層と、
を有し、
前記第一の布層及び前記第二の布層は、前記第一の導電性ストリップと前記第二の導電性ストリップとの間に電気接触を与えるよう伸張可能である、伸張可能な導電性布。
【請求項２】
前記第一の布層は、前記第一の導電性ストリップが、前記第二の導電性ストリップに電気接触することを可能にするよう押圧動作により変形可能である請求項１記載の伸張可能なスイッチ。
【請求項３】
前記第一の導電性ストリップ及び前記第二の導電性ストリップは、衣服に組み込まれた布回路に結合される請求項１記載の伸張可能なスイッチ。
【請求項４】
前記第一の導電性ストリップ及び前記第二の導電性ストリップは、電子装置への結合として機能する請求項１記載の伸張可能なスイッチ。
【請求項５】
前記第一の導電性ストリップ及び前記第二の導電性ストリップは、電源への結合として機能する請求項１記載の伸張可能なスイッチ。
【請求項６】
前記第一の導電性ストリップ及び前記第二の導電性ストリップは、電子信号を伝送するよう補助ユニットを作動させ且つサポートする請求項１記載の伸張可能なスイッチ。
【請求項７】
前記第一の導電性ストリップ及び前記第二の導電性ストリップは、家具に組み込まれた布回路に結合される請求項１記載の伸張可能なスイッチ。
【請求項８】
周期的な波状に形成され、複数の第一の導電性ストリップをその中に有する第一の布層と、
複数の第二の導電性ストリップをその中に有し、前記第一の布層上に固定可能に取り付けられる第二の布層と、
を有し、
前記第一の布層及び前記第二の布層は、前記複数の第一の導電性ストリップが、前記複数の第二の導電性ストリップと電気接触することを可能にするよう伸張可能である伸張可能なスイッチ。
【請求項９】
前記第一の布層は、前記複数の第一の導電性ストリップのうち少なくとも１つが、前記複数の第二の導電ストリップのうち少なくとも１つに電気接触することを可能とするよう押圧動作により変形可能である請求項８記載の伸張可能なスイッチ。
【請求項１０】
前記複数の第一導電性ストリップ及び前記複数の第二の導電性ストリップは、衣服に組み込まれた布回路に結合される請求項８記載の伸張可能なスイッチ。
【請求項１１】
前記複数の第一の導電性ストリップ及び前記複数の第二の導電性ストリップは、電子装置への結合として機能する請求項８記載の伸張可能なスイッチ。
【請求項１２】
前記複数の第一の導電性ストリップ及び前記複数の第二の導電性ストリップは、電源への結合として機能する請求項８記載の伸張可能なスイッチ。
【請求項１３】
前記複数の第一の導電性ストリップ及び前記複数の第二の導電性ストリップは、電子信号を伝送するよう補助ユニットを作動させ且つサポートする請求項８記載の伸張可能なスイッチ。
【請求項１４】
前記複数の第一の導電性ストリップ及び前記複数の第二の導電性ストリップは、家具に組み込まれた布回路に結合される請求項８記載の伸張可能なスイッチ。
【請求項１５】
伸長される前は、前記複数の第一の導電性ストリップ及び前記複数の第二の導電性ストリップは、所定の距離によって間隔をおかれ、互いに平行である請求項８記載の伸張可能なスイッチ。
【請求項１６】
前記第一の布層及び前記第二の布層は変形可能であり、変形の程度によって変化する異なる導電性レベルを有する請求項８記載の伸張可能なスイッチ。
【請求項１７】
好都合に人が電子装置を作動させることを可能にする方法であって、
周期的な波状に形成され、複数の第一の導電性ストリップを有する第一の布層と、複数の第二の導電性ストリップをその中に有する第二の布層とを供給する段階と、
前記第一の布層及び前記第二の布層が設けられた着用可能な衣服を前記人に着せる段階と、
前記複数の第一の導電性ストリップ及び前記第二の導電性ストリップが電気接触するよう前記第一の布層及び前記第二の布層を伸長させる段階と、
を有する方法。
【請求項１８】
前記第一の導電性ストリップ及び前記第二の導電性ストリップを、電子装置又は電源に結合する段階を更に有する請求項１７記載の方法。
【請求項１９】
好都合に人が電子装置を作動させることを可能にする方法であって、
周期的な波状に形成され、複数の第一の導電性ストリップを有する第一の布層と、複数の第二の導電性ストリップをその中に有する第二の布層とを供給する段階と、
前記第一の布層及び前記第二の布層が備わった布を有する家具を供給する段階と、
前記複数の第一の導電性ストリップ及び第二の導電性ストリップが電気接触するよう前記第一の布層及び前記第二の布層を伸長させる段階と、
を有する方法。
【請求項２０】
前記第一の導電性ストリップ及び前記第二の導電性ストリップを、電子装置又は電源に結合する段階を更に有する請求項１９記載の方法。
【発明の詳細な説明】
【技術分野】
【０００１】
本発明は、電子装置又は電源の接続を可能にすることを目的とするファブリックスイッチシステムに係る。より詳細には、本発明は、衣類、家具の物品内、又は電子信号若しくは電源の結合として機能する他の位置において実施され得る伸張可能なファブリックスイッチシステムに係る。
【背景技術】
【０００２】
柔らかい布材料を利用する直観的なスイッチは、導電性繊維であり、ウェアラブル機器又は他の電子適用において極めて望ましい。電気スイッチシステムを衣類の布内に設けるための周知の技術は、一般的に、電気ワイヤを布に直接組み込むか、又は、例えば縫い付けることによって電気ワイヤを布に取り付けることによって、電気ワイヤ及び制御装置に布へ付加することが関連する。
【発明の開示】
【発明が解決しようとする課題】
【０００３】
本発明は、周期的な波状に形成され、複数の第一の導電性ストリップをその中に有する第一の布層と、複数の第二の導電性ストリップをその中に有し、第一の布層上に固定可能に取り付けられる第二の布層を有する伸張可能な導電性布を開示する。操作時、ユーザは、布を伸張し、それにより、第一の導電性ストリップのうち少なくとも１つが、第二の導電性ストリップのうち少なくとも１つと電気接触する。或いは、第一の層はユーザの押圧動作によって変形可能であり、それにより、第一の導電性ストリップのうち少なくとも１つが、第二の導電性ストリップのうち少なくとも１つに電気接触できるようにする。いずれにしても、第一及び第二の布層は、変形可能であり、変形の程度によって変化する異なる導電性レベルを有する。さらに、第一及び第二の導電性ストリップは、衣服又は家具に組み込まれた布回路に結合されてもよく、又は、電子装置若しくは電源への結合として機能することが可能である。
【課題を解決するための手段】
【０００４】
本発明の１つの面では、所望の形状及び機能の衣服又は家具は、即入手可能な布及び材料を用いて、従来の方法で構成されることができ、スイッチシステムとして機能する伸張可能な導電性布は、人による簡単な手動起動を可能にするよう着用可能な衣服又は家具内に有利に位置付けられる。
【発明を実施するための最良の形態】
【０００５】
以下の記載において、限定ではなく説明の目的で、本発明の十分な理解を提供するために、特定の構造、インタフェース、技術などの特定の詳細を記述する。簡潔且つ明確にするために、既知の装置、回路及び方法の詳細な説明は省略されており、不要な詳細で本発明の説明が不明確にならないようにする。
【実施例】
【０００６】
図１を参照するに、本発明の伸張可能なファブリックスイッチシステム１０又は一連のスイッチは、複数の第一の導電性繊維ストリップ１４を有し、波状に形成された第一の層１２と、複数の第二の導電性繊維ストリップ１８を有する第二の層１６とを有する。
【０００７】
第一及び第二の層１２、１６は、天然又は合成でもよく、そのような材料から作成された布は、任意の周知の方法で、織製されるか又はシート状に形成されることが可能である。或いは、層１２及び１６は、不織布（フェルト）若しくは織布、又は複合構造から構成されてもよい。しかし、いかなる場合でも、導電性繊維ストリップ１４及び１８が、布の製造において含まれ、それにより、導電性層を供給する。
【０００８】
図１の実施例において、２つの層１２及び１６は、例えば、在来の袖無しのシャツ、又は、半袖若しくは長袖のベスト、又は、ジャケット等の形状に組み込まれてもよい。代替の実施例では、２つの層１２及び１６は、家具、又は、導電性繊維ストリップ１２及び１６が電気信号、電力又は他の外部電子装置の結合として使用され得る他の場所にて実施されてもよい。
【０００９】
図２及び３を参照するに、第一の導電性繊維ストリップ１４は、層の一端からもう一端まで第一の層１４の湾曲上に位置付けられる。第二の導電性繊維ストリップ１８は、第二の層１６に沿って、所定の距離によって間隔をおかれて、第一の導電性繊維ストリップ１４と平行に位置付けられる。図示するように、導電性ストリップ１４及び１８は、ライクラ（lycra）横糸によって支持された弧によって離される。
【００１０】
導電性布ストリップ１４及び１８は、布層１２及び１６上にそれらをプリントすることによって形成されてもよく、又は粘着テープとして取り付けられてもよい。或いは、導電性繊維ストリップ１４及び１８は、導電性粒子を含む材料を、布層１２及び１６上にプリントすることによって形成されてもよい。説明したすべての代替の方法は、信頼性のある電気接続を形成する適切な接合を与える。
【００１１】
さらに、導電性繊維ストリップ１４及び１８は、電源、出力装置、他の電子装置に接続するためのケーブル、布に設置された回路などに、ループという形で結合されてもよく、それにより、ファブリックスイッチ１０に補助的とされる機器、例えば、外部心臓モニタリング装置、外部体外除細動器、携帯電話機、ラジオ、携帯用小型無線呼出し機、ＧＰＳ装置、個人通信アシスタント、又は他の信号送信機又はインタラクティブ可能なシステム等を受容するか、そうでなければ、作動させ得る。或いは、そのような補助装置又は他の電子装置は、衣服又は家具に組み込まれ、任意の周知の方法で所望の信号又は電力を伝送するファブリックスイッチシステム１０と併せて使用されてもよい。
【００１２】
図４を参照するに、操作時には、矢印で示す力が、ユーザによって伸長（Ａ）され、又は、押圧（Ｂ）され、それにより、それぞれの導電繊維ストリップが、物理的及び電気的に接触する。図５に図示するように、第一の層１２は変形可能であり、それにより、それぞれの導電性繊維ストリップ１４及び１８は互いに物理的及び電気的に接触する。従って、ユーザは、布の２つの層１２及び１４又は補助装置によって決められる回路の閉成を、布層を図示する矢印の方向に単に伸長するか押圧することによって、簡単に行うことができる。尚、２つの層が伸長されるとき、第一の層の布に様々なレベルの弧の耐性が組み込まれることが可能であり、伸長力の増加とともに、様々な値又は数のスイッチが閉成され得、それにより、様々なレベルの切り替え機構が与えられる。
【００１３】
本発明の好適な施例を説明及び記載したが、様々な変更及び修正が可能であり、本発明の真の範囲から逸脱することなく、その素子の等価物との置換も可能であることを、当業者は理解すべきである。従って、図面にある相互接続システムの形態は、本発明の権利範囲へ制限を課すべきではない。従って本発明は、本発明を実施するための最良の形態として検討された特定の実施例の記載に制限されない意図であるが、本発明は、添付の請求項の権利範囲に含まれるすべての実施例を包含する意図である。
【図面の簡単な説明】
【００１４】
【図１】本発明による伸張可能なファブリックスイッチシステムの実施例を示す図である。
【図２】本発明の第一実施例による図１のスイッチシステムの１つの布層を示す図である。
【図３】本発明の第一実施例による図１のスイッチシステムのもう１つの布層を示す図である。
【図４】本発明による図１のスイッチシステムを示す斜視図である。
【図５】本発明による図４のスイッチシステムを示す斜視図である。
【図１】
2006527460.tif 000003
【図２】
2006527460.tif 000004
【図３】
2006527460.tif 000005
【図４】
2006527460.tif 000006
【図５】
2006527460.tif 000007
【国際調査報告】
2006527460.tif 000008
2006527460.tif 000009